(57)【特許請求の範囲】
【請求項１】
ルアー本体内に重錘体を前後方向へ移動可能に仕込み、キャスティング時には重錘体をルアー本体の後方部位に移動させ、ルアーの泳動時には重錘体をルアー本体の前方部位に移動させるようにした魚釣用ルアーにおいて、
ルアー本体に、前後方向へ延びて形成され、重錘体を前後方向へ移動可能に収容する前後方向移動用ガイド通路と、この前後方向移動用ガイド通路の前端に連通してルアー本体の左右方向へ延びて形成され、泳動時、重錘体を左右方向へ移動可能に収容する左右方向移動用ガイド通路とを設けたことを特徴とする魚釣用ルアー。
【請求項２】
左右方向移動用ガイド通路は、ルアーの泳動姿勢時において上記前後方向移動用ガイド通路の前端よりも低い位置に形成されたことを特徴とする請求項１に記載の魚釣用ルアー。
【請求項３】
左右方向移動用ガイド通路は、その中央部分が前後方向移動用ガイド通路の前端に連通して形成され、その左右方向移動用ガイド通路は中央部分が低く、左右部分の路面が中央部分より立ち上がる傾斜面に形成したことを特徴とする請求項１または請求項２に記載の魚釣用ルアー。
【請求項４】
前後方向移動用ガイド通路の前端に続く左右方向移動用ガイド通路の部分に誘導壁を形成し、ルアーを釣糸に吊り下げたとき、誘導壁を経て重錘体を左右方向移動用ガイド通路内から前後方向移動用ガイド通路内に誘導するようにしたことを特徴とする請求項１、請求項２または請求項３に記載の魚釣用ルアー。
【請求項５】
重錘体は、質量が異なる複数のものを設けたことを特徴とする請求項１、請求項２、請求項３または請求項４に記載の魚釣用ルアー。
【発明の詳細な説明】
【０００１】
【発明の属する技術分野】
本発明は、ルアー本体内に重錘体を前後方向へ移動可能に仕込んた魚釣用ルアーに関する。
【０００２】
【従来の技術】
従来から、魚釣用ルアーには、遠投が可能であること、及び安定した良好な泳動をすることが求められている。そのため、ルアー本体の内部に球状の重錘体を前後方向へ移動可能に仕込んで、キャスティング時にはルアー後方へ重錘体を移動させて遠投性を上げ、ルアーの泳動時にはルアー前方へ重錘体を移動させ、そこに保持するようにしてルアー本体の前方下部に重心を定めることにより、ルアーの姿勢を安定させると共に上記重心を中心として尾を振る規則的な泳動をするようにした魚釣用ルアーが提案されていた。
【０００３】
このような魚釣用ルアーとして、たとえば、実公平３−１５０２１号公報には前後方向へ直線的に延びた中空のガイド通路をルアー本体の内部に形成し、この中空のガイド通路に重錘体を収納し、球状の重錘体が前後方向に移動可能にしたものが提案されており、また、実公平７−３８８９号公報にはルアー本体の内部空間で前後方向へ延在する直線的な線材に重錘体をスライド自在に被嵌し、重錘体が前後方向に移動可能にしたルアーが提案されている。
【０００４】
【発明が解決しようとする課題】
上述したような魚釣用ルアーではいずれも着水後の泳動時に上記球状の重錘体がルアー本体の前方下部の位置で保持されるため、重心位置がルアー本体の前方下部に定まり、ルアー本体は安定した姿勢を保ちながら常に規則的な泳動をするようになる。しかし、このように規則的に泳動する単純な動きばかりでは魚がルアーの動きに慣れてしまい、興味を示さなくなってしまうという問題があった。
【０００５】
本発明は上記課題に着目してなされたもので、その目的とするところは、キャスティング時の遠投性を確保しながら、泳動時には魚が興味を示す動きを与え、魚を誘う効果の向上を図った魚釣用ルアーを提供することにある。
【０００６】
【課題を解決するための手段】
請求項１に係る発明は、ルアー本体内に重錘体を前後方向へ移動可能に仕込み、キャスティング時には重錘体をルアー本体の後方部位に移動させ、ルアーの泳動時には重錘体をルアー本体の前方部位に移動させるようにした魚釣用ルアーにおいて、
ルアー本体に、前後方向へ延びて形成され、重錘体を前後方向へ移動可能に収容する前後方向移動用ガイド通路と、この前後方向移動用ガイド通路の前端に連通してルアー本体の左右方向へ延びて形成され、泳動時、重錘体を左右方向へ移動可能に収容する左右方向移動用ガイド通路とを設けたものである。
【０００７】
請求項２に係る発明は、左右方向移動用ガイド通路は、ルアーの泳動姿勢時において上記前後方向移動用ガイド通路の前端よりも低い位置に形成されたことを特徴とする請求項１に記載の魚釣用ルアーである。
【０００８】
請求項３に係る発明は、左右方向移動用ガイド通路は、その中央部分が前後方向移動用ガイド通路の前端に連通して形成され、その左右方向移動用ガイド通路は中央部分が低く、左右部分の路面が中央部分より立ち上がる傾斜面に形成したことを特徴とする請求項１または請求項２に記載の魚釣用ルアーである。
【０００９】
請求項４に係る発明は、前後方向移動用ガイド通路の前端に続く左右方向移動用ガイド通路の部分に誘導壁を形成し、ルアーを釣糸に吊り下げたとき、誘導壁を経て重錘体を左右方向移動用ガイド通路内から前後方向移動用ガイド通路内に誘導するようにしたことを特徴とする請求項１、請求項２または請求項３に記載の魚釣用ルアーである。
【００１０】
請求項５に係る発明は、重錘体は、質量が異なる複数のものを設けたことを特徴とする請求項１、請求項２、請求項３または請求項４に記載の魚釣用ルアーである。
【００１１】
【発明の実施の形態】
以下、図面を参照しながら本発明の実施の形態に係る魚釣用ルアーについて説明する。
【００１２】
本実施形態の魚釣用ルアー１は外形が対象魚の餌、たとえば小魚に似るように成形されたルアー本体２を備えている。ルアー本体２は左右に縦割りにされてなる一対のピースを合成樹脂等により成形し、この一対のピースを背中合わせにして接着又は溶着等の適当な手段により両者を一体化して作られている。ルアー本体２は外殻３内に空間部４を形成してなり、この空間部４はルアー本体２の略全長にわたって形成されると共にルアー本体２の外殻３によって完全に密閉されている。
【００１３】
このルアー本体２の頭頂部には、リング形状部５ａを有する釣糸止着部５が設けられており、このリング形状部５ａはルアー本体２から突き出している。釣糸止着部５のリング形状部５ａには図示しない釣糸が結束されるようになっている。上記ルアー本体２の腹部における前方部位にはリング形状部６ａを有する第１の釣針止着部６が設けられおり、このリング形状部６ａはルアー本体２から突き出している。上記ルアー本体２の最尾部にはリング形状部７ａを有する第２の釣針止着部７が設けられており、このリング形状部７ａはルアー本体２から突き出している。上記各釣針止着部６，７のリング形状部６ａ，７ａにはスプリットリング８，９を介して釣針１０，１１が吊り下げる状態で係着されている。釣糸止着部５および各釣針止着部６，７の支持杆５ｂ，６ｂ，７ｂ，はいずれもルアー本体２の一対のピースを背中合わせに接合して一体化する際にそのピースの間に挟み込んで固着されている。また、支持杆５ｂ，６ｂ，７ｂ，を固定するルアー本体２の部分は他の外殻３の厚みよりも厚い壁部として形成されている。
【００１４】
ルアー本体２の頭頂部のやや下方に位置する喉部には前方が下がる向きで傾斜したリップ状の抵抗板１５が一体に突設されている。抵抗板１５は上述した第１の釣針止着部６の固定位置よりも前方に位置して設けられている。
【００１５】
ルアー本体２の腹の前方部位には固定重錘体１６が設けられている。固定重錘体１６はルアー本体２の外殻３の壁部を内側の空間部４側に厚く形成した台部１７に埋め込んで設置されている。この固定重錘体１６は図１に示すように抵抗板１５を取り付ける位置と上記第１の釣針止着部６の支持杆６ｂを取着する部分との間に位置して設置されている。
【００１６】
ルアー本体２の内部には前後方向へ略直線的に延びて形成された前後方向移動用ガイド通路２１と、この前後方向移動用ガイド通路２１の前端に連通してルアー本体２の左右方向へ延びて形成された左右方向移動用ガイド通路２２が設けられている。前後方向移動用ガイド通路２１は重錘体としての鋼球２３を前後方向へ移動可能に収容する第１の手段を構成している。また、左右方向移動用ガイド通路２２は鋼球２３を左右方向へ移動可能に収容する第２の手段を構成している。
【００１７】
左右方向移動用ガイド通路２２はその中間中央部を前後方向移動用ガイド通路２１の前端に連通してルアー本体２の左右方向へ均等に延び、平面からみて、前後方向移動用ガイド通路２１のに略直角で左右対称に形成されている。そして、鋼球２３は前後方向移動用ガイド通路２１と左右方向移動用ガイド通路２２にわたり移動が可能である。
【００１８】
上記球状の鋼球２３は鉛やタングステンや鉄系の比重の比較的大きい材料により球状に形成されている。上記ガイド通路２１，２２はこれに収容する球状の鋼球２３が転がって移動できるように左右の幅と上下の幅が鋼球２３の直径よりも僅かに大きくなるように壁面が形成されている。
【００１９】
前後方向移動用ガイド通路２１は図１に示すように、路面の前方側が低くなるように傾斜して配置され、その前端に左右方向移動用ガイド通路２２の中間部側部が連通している。従って、泳動時、鋼球２３は前後方向移動用ガイド通路２１内を転がって左右方向移動用ガイド通路２２に入り込むことができる。
【００２０】
前後方向移動用ガイド通路２１と左右方向移動用ガイド通路２２とは図２に示すように平面的に見て略Ｔの字状に配置される。つまり、前後方向移動用ガイド通路２１に対して左右方向移動用ガイド通路２２は略直角に配置されている。
【００２１】
前後方向移動用ガイド通路２１の前端に対向する左右方向移動用ガイド通路２２の側壁は前後方向移動用ガイド通路２１内を転がってきた鋼球２３を突き当てる突当て部２４を形成する。突当て部２４は前後方向移動用ガイド通路２１内を転がってきた鋼球２３を受け止め、左右方向移動用ガイド通路２２内に落とし込むガイド手段を構成している。
【００２２】
左右方向移動用ガイド通路２２は図１に示すように、前後方向移動用ガイド通路２１の前端よりも低い段部２５として形成され、段部２５には前後方向移動用ガイド通路２１内を転がってきた鋼球２３が落ち込むようになっている。また、左右方向移動用ガイド通路２２は図３に示すように路面中央部分が最も低くなるように左右が傾斜する路面として形成されている。具体的には、左右方向移動用ガイド通路２２のガイド路面は中央部位が最も低い、いわば円弧部を下方に向けるようにした半円形状に形成されている。つまり、左右方向移動用ガイド通路２２は中央部が最も低くなるように左右方向に傾斜面が形成されている。
【００２３】
また、上記前後方向移動用ガイド通路２１の前端から左右に続く左右方向移動用ガイド通路２２の左右の後端壁面部分はいずれも前後方向移動用ガイド通路２１側に向かって次第に後方へ傾斜した誘導壁２６が形成されている。また、図１に示すように段部２５にも同じような誘導壁２６が形成されている。
【００２４】
次に、上記構成の魚釣用ルアー１の作用について説明する。まず、竿先のガイドよりわずかに釣糸を出した状態でルアー１を垂下させる。この状態ではルアー１は頭頂部を上方に向けて吊り下がる姿勢となるため、仮に左右方向移動用ガイド通路２２内にあった鋼球２３は上記誘導壁２６，２７に誘導されて前後方向移動用ガイド通路２１の前端からその前後方向移動用ガイド通路２１内に転がって入り込み、前後方向移動用ガイド通路２１の後端まで移動する。従って、ルアー１を吊り下させた状態では鋼球２３は前後方向移動用ガイド通路２１の後端（下端）に位置する。
【００２５】
次に、釣竿を勢いよく振って上記ルアー１をキャスティングする。この時、上記鋼球２３は遠心力により上記前後方向移動用ガイド通路２１の後端部に押し当たって保持され、かつルアー１は飛行方向の前方へ最尾部を向けた逆向きの安定した姿勢で飛行する。そして、所定のポイントにキャストして着水する。
【００２６】
ルアー１が着水すると、上記固定重錘体１６等のルアー全体の重さのバランスによりルアー本体２の前頭部が前傾する姿勢となる。これによって上記前後方向移動用ガイド通路２１も図１に示すように前方が下がった向きで傾斜する。このため、上記鋼球２３は転がりながら前方へ略直線的に移動する。そして、突当て部２４に当たって左右方向移動用ガイド通路２２内に落ち込み、その左右方向移動用ガイド通路２２に収容される。
【００２７】
そして、リールに釣り糸を巻き上げて、ルアー１をリトリーブしていくと、抵抗板１５が水の抵抗を受けて、ルアー本体２の前頭部が前傾する姿勢で泳動する。この泳動時、鋼球２３は左右方向移動用ガイド通路２２内に位置しており、ルアー本体２の重心がルアー１の前方下部に定まる。このため、ルアー１は安定した姿勢を保ちながら重心位置を中心に尾を振って魚が泳ぐような動きをする。特に、左右方向移動用ガイド通路２２が、リップ状の抵抗板１５よりも後方に位置した第１の釣針止着部６や固定重錘体１６が設けられた重心位置に一致またはその近傍に配置されているので、泳動するルアー１の動作の安定性が増す。
【００２８】
一方、左右方向移動用ガイド通路２２内に位置した鋼球２３は上述したルアー１の尾振り運動に伴って左右方向移動用ガイド通路２２内を左右に移動することになる。この左右に移動する鋼球２３の反動でルアー本体２には単に尾を振って動く規則的な動きに加えて、複雑または突飛な動きが加わる。その不規則に変化する動き、時にはオーバーな動作によって、ルアー１にはリアル感が生じ、または慣れのない動きが起こる。このため、魚はルアーの動きに興味を示し続ける。また、ルアー１をリトリーブする操作に変化を与えれば、上記動作が助長され、または動きの変化の態様を意図的に多様化することができる。
【００２９】
また、左右方向移動用ガイド通路２２はその左右部分が傾斜しているため、鋼球２３は左右方向へ直線的に動くのではなく曲がるように揺動する。このため、鋼球２３が左右方向に一直線に移動する場合に比べて、反動の向きが遂時変化する。このように移動する鋼球２３の反作用による変動が複雑になるため、ルアー１に与える動きもより複雑になる。その結果、魚を誘引する効果が、より一層高まる。
【００３０】
また、左右方向移動用ガイド通路２２は前後方向移動用ガイド通路２１の前端よりも低い段部２５を形成しているため、鋼球２３が左右方向に移動する際にもその左右方向移動用ガイド通路２２内に留まり易い。
【００３１】
なお、本発明は、前述した実施の形態のものに限定されるものではない。例えば、重錘体として球体のものでななく、いわゆるコロ体状のもの等の転動できる形やガイド通路を滑動できるものでもよい。
【００３２】
また、重錘体の個数は１個でなくとも複数のものであってもよく、その場合、移動し易い２〜３個ぐらいが望ましい。また、複数の重錘体を設ける場合はそれぞれ異なる大きさまたは重さのものであってもよい。このようにすることで、ルアーにより複雑な動きをさせることができる。
【００３３】
また、各ガイド通路は、重錘体を収容し、その移動させる方向にガイドできるものであれば、全面が壁の通路の場合に限らず、線材や枠部材などで通路を形成する場合であってもよい。
【００３４】
また、左右方向移動用ガイド通路は、ルアー本体の空間内に連通するように開放し、重錘体が通路に戻り得るようにするならば、左右方向移動用ガイド通路からルアー本体の空間内に一時的に重錘体が入り込み得るようにしてもよい。
【００３５】
前後方向移動用ガイド通路は重錘体を略前後方向に移動させることができればよく、左右方向移動用ガイド通路は、重錘体を略左右方向に移動させることができればよいものである。
【００３６】
本発明において、前後方向とか左右方向とは完全な直線の場合に限らず、多少曲がったり屈曲したりするものでもよい。また、前述した実施形態では、平面的に見て、前後方向移動用ガイド通路に対して左右方向移動用ガイド通路２２が直角に配置されていたが、前後方向移動用ガイド通路に対して左右方向移動用ガイド通路２２が多少傾くものでもよいし、左右方向移動用ガイド通路の左右側方部分が斜め前方に伸び、前後方向移動用ガイド通路と左右方向移動用ガイド通路が略Ｙの字状に配置されるものであってもよい。
【００３７】
【発明の効果】
以上のように本発明によれば、キャスティング時にはルアーの姿勢が安定し、比較的簡単に遠投することが可能となり、泳動時には不規則な動きをするため、魚を誘う効果が向上する。
【図面の簡単な説明】
【図１】本発明の一実施の形態に係る魚釣用ルアーの側面断面図。
【図２】上記魚釣用ルアーの平面断面図。
【図３】上記魚釣用ルアーの内部に形成された通路を示す横断面図。
【符号の説明】
１…魚釣用ルアー
２…ルアー本体
１５…抵抗板
２１…前後方向移動用ガイド通路
２２…左右方向移動用ガイド通路
２３…鋼球
２４…突当て部
２５…段部
２６…誘導壁
２７…誘導壁
【図１】
0003905723.tif 000002
【図２】
0003905723.tif 000003
【図３】
0003905723.tif 000004